(57)【要約】【課題】包装用緩衝構造において、簡易的な構造により、材料を増やすことなく、緩衝性と復元性を向上させる。【解決手段】温水洗浄便座２を収容する段ボール箱３内の温水洗浄便座２と段ボール箱３の収容空間３ａを形成する幅側面部６Ａとの間で緩衝作用を得るための包装用緩衝構造としての包装用緩衝部材４であって、段ボール箱３内で幅側面部６Ａ側に位置する外側板面部１１と、外側板面部１１に対向する面部であって段ボール箱３内で外側板面部１１に対して温水洗浄便座２側に位置する内側板面部１２と、外側板面部１１と内側板面部１２との間に設けられた緩衝部１３と、を備え、緩衝部１３は、第１の稜線部２３をなす一対の面部により形成された内方屈曲面部２１と、一側面部３１および他側面部３２により、第１の稜線部２３に対して反転状に屈曲した第２の稜線部３０をなす外方屈曲面部２２と、を有する。【選択図】図１
2020070020.tif 000002
【特許請求の範囲】
【請求項１】
被包装物を収容する包装容器内の前記被包装物と前記包装容器の収容空間を形成する板面部との間で緩衝作用を得るための包装用緩衝構造であって、
前記包装容器内で前記板面部側に位置する第１面部と、
前記第１面部に対向する面部であって前記包装容器内で前記第１面部に対して前記被包装物側に位置する第２面部と、
前記第１面部と前記第２面部との間に設けられた緩衝部と、を備え、
前記緩衝部は、
第１の稜線部をなす一対の面部により形成された第１の屈曲面部と、
前記一対の面部のうちの一方の面部とともに稜線部をなす一側面部、および前記一対の面部のうちの他方の面部とともに稜線部をなす他側面部により、前記第１の稜線部に対して反転状に屈曲した第２の稜線部をなす第２の屈曲面部と、を有する
ことを特徴とする包装用緩衝構造。
【請求項２】
前記第１の稜線部は、所定の方向に沿うように形成されており、
前記第２の屈曲面部は、前記第１の屈曲面部に対して前記所定の方向の両側に設けられている
ことを特徴とする請求項１に記載の包装用緩衝構造。
【請求項３】
前記第２の屈曲面部は、前記一側面部の前記第２の稜線部側と反対側の端部を、前記一方の面部の前記第１の稜線部側と反対側の縁部に位置させ、前記他側面部の前記第２の稜線部側と反対側の端部を、前記他方の面部の前記第１の稜線部側と反対側の縁部に位置させた
ことを特徴とする請求項１または請求項２に記載の包装用緩衝構造。
【請求項４】
前記緩衝部は、前記第１面部および前記第２面部の対向方向に対して垂直な横方向の両側の端部および前記横方向の中間部に設けられている
ことを特徴とする請求項１〜３のいずれか１項に記載の包装用緩衝構造。
【請求項５】
前記中間部には、前記横方向について互いに対称的に形成された一対の緩衝部が設けられている
ことを特徴とする請求項４に記載の包装用緩衝構造。
【請求項６】
前記第２面部の上側に、前記第２面部を補強するためのフラップ面部が設けられている
ことを特徴とする請求項１〜５のいずれか１項に記載の包装用緩衝構造。
【請求項７】
前記第１面部には、前記包装容器の前記板面部に形成された手掛け孔に対応した部位に、前記手掛け孔に連続する開口部が形成されている
ことを特徴とする請求項１〜６のいずれか１項に記載の包装用緩衝構造。
【請求項８】
前記第１面部および前記第２面部の上端縁が前記包装容器の前記板面部の上端縁と略同じ高さに位置するように構成されている
ことを特徴とする請求項１〜７のいずれか１項に記載の包装用緩衝構造。
【請求項９】
前記包装容器と、
請求項１〜８のいずれか１項に記載の包装用緩衝構造と、を備えた
包装構造。
【発明の詳細な説明】
【技術分野】
【０００１】
本発明は、例えば段ボール箱等の包装容器内において被包装物と包装容器との間に用いられる包装用緩衝構造およびそれを備えた包装構造に関する。
【背景技術】
【０００２】
例えば温水洗浄便座等の電子機器といった各種装置・機器等を流通させる際の包装容器として段ボール箱が広く用いられている。通常、段ボール箱の内部には、外部からの衝撃により被包装物（内容物）が破損しないように被包装物を保護するため、被包装物と段ボール箱との間に緩衝材が備えられている。
【０００３】
緩衝材としては、従来、所定の形状を有する発泡スチロール等の樹脂素材からなる発泡材が存在する。しかしながら、近年の樹脂製品の廃棄上の問題や在庫保管上の観点等から、緩衝材の材料として段ボール等の紙素材が用いられることが好ましい。
【０００４】
そこで、例えば特許文献１に開示されているように、段ボール製の緩衝材がある。特許文献１には、段ボールを折り曲げて断面矩形状の角筒を形成し、その一方側の対向面のそれぞれを筒軸方向に沿う内折線により内側に屈曲させた緩衝材が開示されている。
【先行技術文献】
【特許文献】
【０００５】
【特許文献１】特開平８−１６４９７８号公報
【発明の概要】
【発明が解決しようとする課題】
【０００６】
特許文献１に開示されたような緩衝材によれば、内側に屈曲した対向面部によって緩衝作用としてのバネ性が得られるとともに、同対向面部について変形しても弾性により変形前に近い状態に戻る復元性が得られると考えられる。しかしながら、特許文献１に開示されたような緩衝材によれば、近年における各種装置・機器等の流通環境においては、十分な緩衝性および復元性が得られない場合がある。
【０００７】
すなわち、海外での厳しい（粗雑な）輸送環境や、Ｅコマース等の新しい取引形態の普及等によって変化している近年の市場環境においては、より高い緩衝性および復元性が得られ被包装物の保護機能が高い緩衝構造が求められている。一方で、緩衝材の材料についての省資源化や緩衝材の在庫保管上の観点等から、過剰包装となる緩衝構造は好ましくない。
【０００８】
本発明は、簡易的な構造により、材料を増やすことなく、緩衝性と復元性を向上させることができる包装用緩衝構造およびそれを備えた包装構造を提供することを目的とする。
【課題を解決するための手段】
【０００９】
本発明に係る包装用緩衝構造は、被包装物を収容する包装容器内の前記被包装物と前記包装容器の収容空間を形成する板面部との間で緩衝作用を得るための包装用緩衝構造であって、前記包装容器内で前記板面部側に位置する第１面部と、前記第１面部に対向する面部であって前記包装容器内で前記第１面部に対して前記被包装物側に位置する第２面部と、前記第１面部と前記第２面部との間に設けられた緩衝部と、を備え、前記緩衝部は、第１の稜線部をなす一対の面部により形成された第１の屈曲面部と、前記一対の面部のうちの一方の面部とともに稜線部をなす一側面部、および前記一対の面部のうちの他方の面部とともに稜線部をなす他側面部により、前記第１の稜線部に対して反転状に屈曲した第２の稜線部をなす第２の屈曲面部と、を有するものである。
【００１０】
このような構成の包装用緩衝構造によれば、簡易的な構造により、材料を増やすことなく、緩衝性と復元性を向上させることができる。
【００１１】
本発明に係る包装用緩衝構造の他の態様は、前記包装用緩衝構造において、前記第１の稜線部は、所定の方向に沿うように形成されており、前記第２の屈曲面部は、前記第１の屈曲面部に対して前記所定の方向の両側に設けられているものである。
【００１２】
このような構成の包装用緩衝構造によれば、緩衝部におけるバネ性による反発力を増大させることができ、緩衝性と復元性を効果的に向上させることができる。
【００１３】
本発明に係る包装用緩衝構造の他の態様は、前記包装用緩衝構造において、前記第２の屈曲面部は、前記一側面部の前記第２の稜線部側と反対側の端部を、前記一方の面部の前記第１の稜線部側と反対側の縁部に位置させ、前記他側面部の前記第２の稜線部側と反対側の端部を、前記他方の面部の前記第１の稜線部側と反対側の縁部に位置させたものである。
【００１４】
このような構成の包装用緩衝構造によれば、第２の屈曲面部を形成するための折線を長くすることができるため、第２の屈曲面部による緩衝性および復元性を高めることができる。また。第２の屈曲面部を形成するための折線が形成しやすくなり、第２の屈曲面部を形成する際の作業性を向上させることができるとともに、緩衝部の緩衝性および復元性の観点から包装用緩衝構造の性能を安定させることができる。
【００１５】
本発明に係る包装用緩衝構造の他の態様は、前記包装用緩衝構造において、記緩衝部は、前記第１面部および前記第２面部の対向方向に対して垂直な横方向の両側の端部および前記横方向の中間部に設けられているものである。
【００１６】
このような構成の包装用緩衝構造によれば、包装用緩衝構造全体としての緩衝部のバネ性による反発力をさらに増大させることができ、より高い緩衝性と復元性を得ることができる。
【００１７】
本発明に係る包装用緩衝構造の他の態様は、前記包装用緩衝構造において、前記中間部には、前記横方向について互いに対称的に形成された一対の緩衝部が設けられているものである。
【００１８】
このような構成の包装用緩衝構造によれば、横方向の中間部においてより高い緩衝性および復元性を得ることが可能となる。
【００１９】
本発明に係る包装用緩衝構造の他の態様は、前記包装用緩衝構造において、前記第２面部の上側に、前記第２面部を補強するためのフラップ面部が設けられているものである。
【００２０】
このような構成の包装用緩衝構造によれば、被包装物側の面部である第２面部を補強することが可能となり、第２面部の変形を抑制することができ、第１面部と第２面部の間を支持する緩衝部による緩衝性および復元性を効率的に得ることが可能となる。
【００２１】
本発明に係る包装用緩衝構造の他の態様は、前記包装用緩衝構造において、前記第１面部には、前記包装容器の前記板面部に形成された手掛け孔に対応した部位に、前記手掛け孔に連続する開口部が形成されているものである。
【００２２】
このような構成の包装用緩衝構造によれば、被包装物を収容した包装容器を手掛け孔により持ち上げる際、手掛け孔による包装容器の把持を妨げることなく、包装容器の持ち運び性を確保することができる。
【００２３】
本発明に係る包装用緩衝構造の他の態様は、前記包装用緩衝構造において、前記第１面部および前記第２面部の上端縁が前記包装容器の前記板面部の上端縁と略同じ高さに位置するように構成されているものである。
【００２４】
このような構成の包装用緩衝構造によれば、包装用緩衝構造により、包装容器の板面部を補強することができ、包装容器の板面構造を強固なものとすることができる。
【００２５】
また、本発明に係る包装用緩衝構造は、前記包装容器とともに包装構造を構成する。本発明に係る包装構造によれば、簡易的な構造により、材料を増やすことなく、包装用緩衝構造において緩衝性と復元性を向上させることができる。
【発明の効果】
【００２６】
本発明によれば、簡易的な構造により、材料を増やすことなく、緩衝性と復元性を向上させることができる。
【図面の簡単な説明】
【００２７】
【図１】本発明の一実施形態に係る包装構造の構成を示す一部切欠き斜視図である。
【図２】本発明の一実施形態に係る包装構造の構成を示す平面図である。
【図３】本発明の一実施形態に係る包装用緩衝部材の斜視図である。
【図４】本発明の一実施形態に係る包装用緩衝部材の斜視図である。
【図５】本発明の一実施形態に係る包装用緩衝部材の正面図である。
【図６】本発明の一実施形態に係る包装用緩衝部材の背面図である。
【図７】本発明の一実施形態に係る包装用緩衝部材の側面図である。
【図８】本発明の一実施形態に係る包装用緩衝部材の平面図である。
【図９】本発明の一実施形態に係る緩衝部を展開した状態を示す図である。
【図１０】本発明の一実施形態に係る包装用緩衝部材を展開した状態を示す図である。
【図１１】本発明の一実施形態に係る包装用緩衝部材の片側を開いた状態を示す斜視図である。
【図１２】本発明の一実施形態に係る包装構造の上部を示す側面一部断面図である。
【図１３】本発明の一実施形態に係る包装用緩衝部材の内方屈曲面部の動作説明図である。
【図１４】本発明の一実施形態に係る包装用緩衝部材の外方屈曲面部の動作説明図である。
【図１５】本発明の一実施形態に係る包装用緩衝部材の変形例の構成を示す平面図である。
【発明を実施するための形態】
【００２８】
本発明は、例えば段ボール箱等の包装容器内において被包装物と包装容器との間に用いられる包装用緩衝構造において、緩衝作用を得るための緩衝部分の面構造等を工夫することにより、簡易な構成によって緩衝性および復元性を向上させようとするものである。以下、本発明の実施の形態について図面を参照して説明する。本実施形態では、被包装物を収容する包装容器として段ボール箱を例にとり、被包装物として温水洗浄便座を例にとって説明する。
【００２９】
図１および図２に示すように、本実施形態に係る包装構造１は、被包装物としての温水洗浄便座２を収容する包装容器としての段ボール箱３と、包装用緩衝構造をなす包装用緩衝部材４とを備える。本実施形態の包装構造１においては、包装用緩衝構造が、段ボール箱３とは別体の包装用緩衝部材４として構成されている。
【００３０】
すなわち、包装用緩衝部材４は、段ボール箱３内の温水洗浄便座２と段ボール箱３の収容空間３ａを形成する板面部との間で緩衝作用を得るためのものであり、段ボール箱３の板面部と温水洗浄便座２との間に介装されて用いられる。包装用緩衝部材４は、段ボール製の部材であり、段ボール箱３内において、段ボールのバネ性を利用した緩衝仕切として設けられている。
【００３１】
段ボール箱３は、上側を開口側とした直方体状の段ボール製の箱であり、収容空間３ａを形成する板面部として、底面部５と、底面部５に対して底面部５と直角状をなすように設けられた４つの側面部６と、各側面部６の上側に設けられ段ボール箱３が閉じた状態（封鍼した状態）で段ボール箱３の天面部をなす４つのフラップ面部７とを有する。
【００３２】
段ボール箱３は、底面部５の外形に略一致する平面視外形として、長方形状を有する。したがって、段ボール箱３は、側面部６として、平面視外形である長方形状の長手方向（図２における左右方向）に対向した一対の幅側面部６Ａと、同長方形状の短手方向（図２における上下方向）に対向した一対の長さ側面部６Ｂとを有する。
【００３３】
また、段ボール箱３は、フラップ面部７として、各幅側面部６Ａの上側に設けられ幅側面部６Ａと略同じ幅寸法を有する内フラップ面部７Ａと、各長さ側面部６Ｂの上側に設けられ長さ側面部６Ｂと略同じ長さ寸法を有する外フラップ面部７Ｂとを有する。一対の内フラップ面部７Ａは、段ボール箱３が閉じた状態において、一対の外フラップ面部７Ｂの下側（内側）に位置する。すなわち、段ボール箱３を閉じる際は、先に一対の内フラップ面部７Ａが閉じられ、その後に一対の外フラップ面部７Ｂが閉じられ、一対の外フラップ面部７Ｂは、先端側同士を突き合わせた状態で段ボール箱３の上側の開口部を閉じる。
【００３４】
段ボール箱３において、各幅側面部６Ａには、温水洗浄便座２を収容した段ボール箱３を持ち上げる際等に用いられる手掛け孔６ｃが形成されている。手掛け孔６ｃは、幅側面部６Ａの幅方向中央部の上側寄りの位置に、横長の長孔として形成されている。段ボール箱３は、上述した各板面部となる部分を含む所定の形状を有する１枚の段ボール製のシート状の部材が折り曲げられて組み立てられることにより構成されている。
【００３５】
本実施形態の包装構造１においては、段ボール箱３の平面視外形である長方形状の長手方向（図２における左右方向）を長さ方向、同長方形状の短手方向（図２における上下方向）を幅方向、側面部６の高さ方向（図２の紙面に対して垂直方向）を高さ方向または上下方向とする。なお、図１には、段ボール箱３について、図における手前側の稜線部分をなす幅側面部６Ａおよび長さ側面部６Ｂならびにこれらの上側の内フラップ面部７Ａおよび外フラップ面部７Ｂの一部を切欠いた状態を示している。
【００３６】
段ボール箱３に収容される温水洗浄便座２は、人体（使用者）の局部を洗浄する衛生洗浄装置であり、トイレ装置において、例えば洋式腰掛便器等の便器の上に設置された状態で用いられる。温水洗浄便座２は、筐体をなすケーシング内に各種の装置構成を内蔵した装置本体部８と、装置本体部８のケーシングに対して回動可能に支持された便座および便蓋９とを有する。なお、便座は上側から便蓋９に覆われた状態で設けられている。
【００３７】
温水洗浄便座２は、全体として扁平状の外形を有し、段ボール箱３内において平置きの状態で収容される。温水洗浄便座２は、平面視で、長手方向の一側（図２における左側）において略楕円状に沿う湾曲形状を有するとともに、長手方向の他側（図２における右側）において略長方形状に沿う形状を有し、全体として略半楕円形状の平面視外形をなす。温水洗浄便座２の平面視外形の大部分は便蓋９の外形であり、その平面視外形における長手方向の他側に、装置本体部８が設けられている。温水洗浄便座２は、平面視外形の長手方向を段ボール箱３の長さ方向に向けた状態で段ボール箱３内に収容される。
【００３８】
このような段ボール箱３に対する温水洗浄便座２の収容形態において、段ボール箱３内における温水洗浄便座２の長手方向の両側の２箇所に、包装用緩衝部材４が配置されている。すなわち、一方の包装用緩衝部材４は、温水洗浄便座２の便蓋９の略楕円状に沿う湾曲形状の頂部側と幅側面部６Ａとの間に介装され、他方の包装用緩衝部材４は、温水洗浄便座２の便蓋９の略長方形状に沿う形状部分側（装置本体部８側）と幅側面部６Ａとの間に介装されている。ただし、包装用緩衝部材４は、温水洗浄便座２の側方、つまり温水洗浄便座２と長さ側面部６Ｂとの間に介装されてもよい。
【００３９】
段ボール箱３内には、温水洗浄便座２を支持する底仕切部材１０が設けられている。底仕切部材１０は、段ボール製の部材であり、温水洗浄便座２の下側の形状に対応した所定の形状を有し、段ボール箱３の底面部５上に配置され、温水洗浄便座２を下側から支持する。また、段ボール箱３内においては、温水洗浄便座２を被覆する天面仕切部材（図示略）が設けられる。天面仕切部材は、段ボール製の部材であり、温水洗浄便座２を上側から覆い、段ボール箱３が閉じた状態において、内フラップ面部７Ａおよび外フラップ面部７Ｂからなる天面部の下側に位置する。
【００４０】
包装用緩衝部材４について、図１から図１４を用いて説明する。本実施形態に係る包装用緩衝部材４は、段ボール箱３内の温水洗浄便座２と幅側面部６Ａとの間で緩衝作用を得るためのものである。包装用緩衝部材４は、段ボール箱３内で幅側面部６Ａ側に位置する第１面部である外側板面部１１と、外側板面部１１に対向する面部であって段ボール箱３内で外側板面部１１に対して温水洗浄便座２側に位置する第２面部である内側板面部１２と、外側板面部１１と内側板面部１２との間に設けられた緩衝部１３とを備える。
【００４１】
包装用緩衝部材４は、略矩形厚板状の外形を有し、その外形における一方の板面側を外側板面部１１とし、他方の板面側を内側板面部１２とする。包装用緩衝部材４は、段ボール箱３に対し、略矩形厚板状の外形部分における板面形状である長方形状の長手方向、同長方形状の短手方向、および板厚方向を、それぞれ段ボール箱３の幅方向、高さ方向、および長さ方向とする向きで配置される。
【００４２】
包装用緩衝部材４において、段ボール箱３の幅方向に沿う方向（図５における左右方向）を左右方向とし、段ボール箱３の高さ方向に沿う方向（図５における上下方向）を上下方向とし、段ボール箱３の長さ方向に沿う板厚方向（図７における左右方向）を前後方向とする。また、包装用緩衝部材４においては、外側板面部１１側を正面側、内側板面部１２側を背面側とする。
【００４３】
包装用緩衝部材４は、全体として左右方向について対称に構成されている。包装用緩衝部材４は、左右方向について段ボール箱３の収容空間３ａの幅方向の寸法と略同じ寸法を有し、温水洗浄便座２と幅側面部６Ａとの間において、収容空間３ａの幅方向の略全体にわたって介在している。
【００４４】
包装用緩衝部材４は、外側板面部１１を、幅側面部６Ａ側、つまり段ボール箱３の長さ方向の外側に向け、内側板面部１２を、温水洗浄便座２側、つまり段ボール箱３の長さ方向の内側に向ける。本実施形態では、包装用緩衝部材４は、外側板面部１１を幅側面部６Ａに対する接触面として幅側面部６Ａに沿わせ、内側板面部１２を温水洗浄便座２の接触を受ける面、つまり温水洗浄便座２を支持する面とする。なお、包装用緩衝部材４と温水洗浄便座２との間には、例えば温水洗浄便座２を被覆するビニール袋等の包装材が適宜介在する。また、外側板面部１１は、段ボール箱３の幅側面部６Ａに沿う面部となっているが、外側板面部１１と幅側面部６Ａとの間に他の包装材等が介在してもよい。
【００４５】
包装用緩衝部材４は、上下方向を筒軸方向として上下両側を開口させた扁平な筒状に構成された本体部１５を有する。本体部１５は、筒状の部分をなす面部として、外側板面部１１および内側板面部１２と、これらの面部間の左右両側に設けられた側面部１４とを有し、これらの面部により、左右方向を長手方向とする細長い略矩形状の横断面形状をなす。本体部１５内の大部分は空間部分となっている。
【００４６】
本実施形態の包装用緩衝部材４は、本体部１５において、左右両側の側面部１４を、外側板面部１１および内側板面部１２間において緩衝作用を得るための緩衝部１３としている。包装用緩衝部材４においては、外側板面部１１および内側板面部１２の対向方向が、実質的な緩衝方向となっている。
【００４７】
緩衝部１３について説明する。緩衝部１３は、その上下方向の大部分をなす第１の屈曲面部としての内方屈曲面部２１と、内方屈曲面部２１に対して上下方向の両側に設けられた第２の屈曲面部としての外方屈曲面部２２とを有する。緩衝部１３は、上下方向および前後方向（図７における左右方向）について対称または略対称な形状を有する。
【００４８】
内方屈曲面部２１は、上下方向に沿う第１の稜線部２３をなす一対の面部である前側斜面部２４および後側斜面部２５により形成されている。第１の稜線部２３は、前側斜面部２４および後側斜面部２５により、上下方向に沿うように直線状に形成されている。内方屈曲面部２１は、外側板面部１１および内側板面部１２の互いの近接・離間にともなって、前側斜面部２４および後側斜面部２５による屈曲角度を変化させて開閉動作する。
【００４９】
内方屈曲面部２１は、包装用緩衝部材４の左右方向について内側に向けて突出するように形成されたＶ字溝状の部分である。つまり、内方屈曲面部２１は、包装用緩衝部材４の左右方向外側に対して谷折り状に屈曲した面部であり、前側斜面部２４および後側斜面部２５により「Ｖ」字状の横断面形状をなす。
【００５０】
内方屈曲面部２１は、包装用緩衝部材４の前後方向（図７における左右方向）について対称に形成されている。このため、内方屈曲面部２１において、前後方向の中央位置よりも前側の部分が前側斜面部２４となり、同中央位置よりも後側の部分が後側斜面部２５となる。
【００５１】
内方屈曲面部２１は、包装用緩衝部材４の前後方向について、一側（図７における左側）を外側板面部１１につなげるとともに他側（図７における右側）を内側板面部１２につなげている。本実施形態では、内方屈曲面部２１は、外側板面部１１および内側板面部１２のそれぞれとともに上下方向に沿う稜線部を形成しており、外側板面部１１および内側板面部１２に連続した面部により形成されている。
【００５２】
すなわち、前側斜面部２４は、その幅方向について、第１の稜線部２３側と反対側（前側）の縁部により、外側板面部１１の左右縁部とともに上下方向に沿う前側稜線部２６を形成している。また、後側斜面部２５は、その幅方向について、第１の稜線部２３側と反対側（後側）の縁部により、内側板面部１２の左右縁部とともに上下方向に沿う後側稜線部２７を形成している。これにより、内方屈曲面部２１は、外側板面部１１および内側板面部１２の左右縁端よりも左右内側に、第１の稜線部２３を位置させている。
【００５３】
内方屈曲面部２１は、包装用緩衝部材４の側面部１４において、外側板面部１１および内側板面部１２に対して折線（例えば内折線５２，５３）を介してつながった上下長手状の平面部である緩衝部形成面部４０が、前後方向の中央に位置する内折線４１により折り曲げられることにより形成されている（図９参照）。したがって、内方屈曲面部２１は、外側板面部１１および内側板面部１２とともに略「Ｍ」字状の横断面形状をなす。
【００５４】
外方屈曲面部２２は、上下方向に対して傾斜した所定の傾斜方向に沿う第２の稜線部３０をなす一対の面部である一側面部３１および他側面部３２により形成されている。一側面部３１は、内方屈曲面部２１の一対の面部のうちの一方の面部である前側斜面部２４とともに一側稜線部３３をなす。他側面部３２は、内方屈曲面部２１の一対の面部のうちの他方の面部である後側斜面部２５とともに他側稜線部３４をなす。
【００５５】
外方屈曲面部２２は、一側面部３１および他側面部３２により、第１の稜線部２３に対して反転状につまり逆側向きに屈曲した第２の稜線部３０をなす。第２の稜線部３０は、第１の稜線部２３に対して反転状かつ屈曲状につながっており、第１の稜線部２３が沿う上下方向に対して鈍角をなす所定の傾斜方向に沿うように直線状に形成されている。つまり、第２の稜線部３０は、その稜線を、上下方向に沿う第１の稜線部２３に対して包装用緩衝部材４の左右方向外側斜め方向に延設している。外方屈曲面部２２は、外側板面部１１および内側板面部１２の互いの近接・離間にともなって、一側面部３１および他側面部３２による屈曲角度を変化させ、内方屈曲面部２１とともに開閉動作する。
【００５６】
外方屈曲面部２２は、包装用緩衝部材４の左右方向について外側に向けて突出するように形成されたＶ字状の部分である。つまり、外方屈曲面部２２は、包装用緩衝部材４の左右方向外側に対して山折り状に屈曲した面部であり、一側面部３１および他側面部３２により「Ｖ」字状の断面形状をなす。
【００５７】
外方屈曲面部２２は、内方屈曲面部２１とともに、包装用緩衝部材４の前後方向（図７における左右方向）について対称に形成されている。このため、外方屈曲面部２２において、前後方向の中央位置よりも前側の部分が一側面部３１となり、同中央位置よりも後側の部分が他側面部３２となる。したがって、包装用緩衝部材４の側面視において、第１の稜線部２３の稜線および第２の稜線部３０の稜線は、上下方向に沿う前後中心線上に位置し、互いに連続している（図９参照）。また、第１の稜線部２３の稜線および第２の稜線部３０の稜線は、包装用緩衝部材４の正面視において、鈍角をなすように屈曲状に連続している。
【００５８】
外方屈曲面部２２は、包装用緩衝部材４の側面部１４において、緩衝部形成面部４０のうちの上下端部の面部が、前後方向の中央に位置する外折線４２および前後両側の内折線（傾斜内折線４４）により折り曲げられることにより形成されている（図９参照）。
【００５９】
外方屈曲面部２２を形成する一側面部３１および他側面部３２は、いずれも、第２の稜線部３０に沿う辺部と、一側稜線部３３または他側稜線部３４に沿う辺部と、側面部１４の縁端をなす辺部とにより、三角形状の面形状を有する。これに対応して、内方屈曲面部２１を形成する前側斜面部２４および後側斜面部２５は、いずれも、第１の稜線部２３に沿う辺部と、上下の一側稜線部３３または他側稜線部３４に沿う辺部と、前側稜線部２６または後側稜線部２７に沿う辺部とにより、第１の稜線部２３側を上底側とする偏平台形状の面形状を有する。
【００６０】
包装用緩衝部材４の左右の側面部１４において、外方屈曲面部２２は、上下方向に沿うように形成された第１の稜線部２３をなす内方屈曲面部２１に対して、上下方向の両側に設けられている。上下の外方屈曲面部２２は、上下方向について対称に形成されている。すなわち、包装用緩衝部材４において、緩衝部１３としての側面部１４は、全体として上下対称かつ前後対称に形成されている。
【００６１】
図９に、緩衝部１３を構成する側面部１４の展開図を示す。図９に示すように、側面部１４を展開した緩衝部形成面部４０は、上下方向を長手方向とする略長方形状の面形状を有する。なお、図９に示す緩衝部形成面部４０は、包装用緩衝部材４の側面視における側面部１４の展開図、つまり包装用緩衝部材４の左右外側から見た状態での展開図である。
【００６２】
図９に示すように、緩衝部形成面部４０において、幅方向（図９における左右方向）の中央位置における上下両端部を除いた中間部に、内方屈曲面部２１の第１の稜線部２３を形成するための内折線４１が形成されている。内折線４１の上下両側に、外方屈曲面部２２の第２の稜線部３０を形成するための外折線４２が形成されている。外折線４２は、緩衝部形成面部４０の上下縁端に達している。つまり、内折線４１および外折線４２は、互いに連続するとともに緩衝部形成面部４０の幅方向の中心線上に位置し、緩衝部形成面部４０の長手方向の全体にわたる直線に沿って形成されている。
【００６３】
内折線４１と外折線４２との接続点４３からは、外折線４２とともに外方屈曲面部２２を形成するための傾斜内折線４４が、略長方形状の緩衝部形成面部４０の角部に向かって形成されている。本実施形態では、各傾斜内折線４４は、接続点４３と、緩衝部形成面部４０の角部の頂点４５とを結ぶように直線状に形成されている。
【００６４】
また、緩衝部形成面部４０において、上下縁端の辺は、扁平な「Ｖ」字状をなすように凹状に屈曲している。つまり、緩衝部形成面部４０の上下の縁端は、扁平な「Ｖ」字状をなす一対の傾斜辺４７からなっている。傾斜辺４７は、内折線４１および外折線４２が中心線に直交する方向に対してわずかに傾斜し、外折線４２の内折線４１側と反対側の端点４６と両側の頂点４５とを結ぶ辺である。
【００６５】
以上のような折線を有する緩衝部形成面部４０によれば、外方屈曲面部２２について、次のような形状が得られる。すなわち、外方屈曲面部２２は、一側面部３１の第２の稜線部３０側と反対側の端部を、前側斜面部２４の第１の稜線部２３側と反対側の縁部に位置させている。ここで、一側面部３１の第２の稜線部３０側と反対側の端部は、三角形状の一側面部３１における前側稜線部２６側の頂点部であり、この頂点部が、前側斜面部２４の第１の稜線部２３側と反対側の縁部である前側稜線部２６上に位置している。つまり、一側面部３１をなす傾斜内折線４４の接続点４３側と反対側の端点が、頂点４５上に位置している。
【００６６】
また、外方屈曲面部２２は、包装用緩衝部材４の前後方向（図７において左右方向）について対称な形状であり、他側面部３２についても一側面部３１と同様の形状を有する。すなわち、外方屈曲面部２２は、他側面部３２の第２の稜線部３０側と反対側の端部を、後側斜面部２５の第１の稜線部２３側と反対側の縁部に位置させている。ここで、他側面部３２の第２の稜線部３０側と反対側の端部は、三角形状の他側面部３２における後側稜線部２７側の頂点部であり、この頂点部が、後側斜面部２５の第１の稜線部２３側と反対側の縁部である後側稜線部２７上に位置している。つまり、他側面部３２をなす傾斜内折線４４の接続点４３側と反対側の端点が、頂点４５上に位置している。
【００６７】
以上のように、外方屈曲面部２２において第２の稜線部３０をなす一側面部３１および他側面部３２は、それぞれ緩衝部形成面部４０の幅方向の中央に位置する外折線４２と、緩衝部形成面部４０の角部の頂点４５を通る傾斜内折線４４とにより形成されている。
【００６８】
また、本実施形態に係る包装用緩衝部材４においては、緩衝部１３は、包装用緩衝部材４の左右方向の両端に加えて、左右方向の中間部に設けられている。すなわち、包装用緩衝部材４は、緩衝部１３として、外側板面部１１および内側板面部１２の対向方向に対して垂直な横方向、つまり左右方向の両側の端部に設けられた端部緩衝部１３Ａと、左右方向の中間部に設けられた中央部緩衝部１３Ｂとを有する（図８参照）。
【００６９】
特に、本実施形態に係る包装用緩衝部材４において、左右方向の中間部には、中央部緩衝部１３Ｂとして、左右方向について互いに対称的に形成された一対の緩衝部１３が設けられている。左右の中央部緩衝部１３Ｂは、それぞれ左右同じ側の端部緩衝部１３Ａと左右方向について対称的に形成されている。左右の中央部緩衝部１３Ｂは、背中合わせの状態で互いに接触あるいは略接触する（わずかな隙間を隔てる）ように設けられている。
【００７０】
このように左右中間部に一対の緩衝部１３（中央部緩衝部１３Ｂ）を有する包装用緩衝部材４の組立構成について、図１０を用いて説明する。図１０に、包装用緩衝部材４の展開図を示す。なお、図１０には、包装用緩衝部材４の内側に相当する側を示している。
【００７１】
図１０に示すように、包装用緩衝部材４は、外側板面部１１、内側板面部１２および緩衝部１３の各部を形成する部分を含む所定の形状を有する１枚の段ボール製のシート状部材５０が折り曲げられて組み立てられることにより構成されている。シート状部材５０は、包装用緩衝部材４の左右方向に対応する方向（図１０において左右方向、以下「左右方向」とする。）について対称な形状を有し、左右方向の中央部の内側板面部１２となる面部（後面部５１）に対して、その左右両側の部分が左右中央側に折り畳まれるように組み立てられ、上述したような略矩形厚板状の外形を形成する。
【００７２】
具体的には、図１０に示すように、シート状部材５０は、左右中央部に、内側板面部１２となる矩形状の後面部５１を有し、後面部５１の左右両側に、上下方向に沿う内折線５２を介して側面部１４（端部緩衝部１３Ａ）となる緩衝部形成面部４０を有する。緩衝部形成面部４０の左右外側には、上下方向に沿う内折線５３を介して、外側板面部１１の左右半分をなす前半面部５４が形成されている。
【００７３】
前半面部５４の左右外側には、上下方向に沿う内折線５５を介して、中央部緩衝部１３Ｂを形成する緩衝部形成面部４０（４０Ｂ）が形成されている。緩衝部形成面部４０Ｂの左右外側には、上下方向に沿う内折線５６を介して、シート状部材５０の左右縁端をなす係合面部５７が形成されている。なお、後面部５１、緩衝部形成面部４０、前半面部５４、緩衝部形成面部４０Ｂ、および係合面部５７は、左右方向の略全体にわたって上下方向の寸法を略一定としている。
【００７４】
以上のような構成を有するシート状部材５０が、各内折線によって折り曲げられることで、後面部５１と左右の前半面部５４とが対向するとともに、端部緩衝部１３Ａを形成する左右の緩衝部形成面部４０同士が対向し、さらに、端部緩衝部１３Ａを形成する緩衝部形成面部４０と中央部緩衝部１３Ｂを形成する緩衝部形成面部４０Ｂとが対向した構成が得られる。シート状部材５０の組立構造において、左右両端の部分は左右内側に巻き込む態様で折り曲げられ、左右両端の係合面部５７は、前半面部５４から緩衝部形成面部４０Ｂを介して後面部５１の前面５１ａに沿った状態となり、それぞれ係止部６０により後面部５１に係止された状態で後面部５１に連結されている。
【００７５】
係止部６０は、後面部５１に形成された係止突片６１を、係合面部５７に形成された係止凹部６２に係合させることで、係合面部５７を後面部５１に係止させるものである。係止突片６１は、後面部５１の中央部に左右一対形成されており、後面部５１に一側をつなげた状態で後面部５１の一部が切抜線６３により縦長の略矩形状に切抜き形成された切出し面部である。係止突片６１は、その左右内側の上下中間部に形成された上下方向に沿う折線６４を介して後面部５１につながっている。
【００７６】
係止突片６１は、角丸矩形状の本体部６１ａと、本体部６１ａの左右内側に形成され折線６４を介して後面部５１につながった連結部６１ｂとからなる。連結部６１ｂは、本体部６１ａの左右内側の中間部に突出状に形成された部分であり、本体部６１ａに対して上下方向の寸法を短くしている。
【００７７】
係止凹部６２は、係合面部５７の左右外側を開放側とする切欠き状の凹部であり、係合面部５７の左右外側の上下中央部に形成されている。係止凹部６２は、凹状の奥側（左右内側）に、開口側（左右外側）の幅狭部６２ａに対して上下の開口幅を部分的に広げた係止溝部６２ｂを有する。係止溝部６２ｂは、係止突片６１の連結部６１ｂと上下方向の寸法を略同じとする。
【００７８】
以上のような係止部６０においては、後面部５１に対して内側に折り出された係止突片６１に対し、シート状部材５０の左右内側への折り込みにともなって外側の面を後面部５１の前面５１ａに合わせた状態となった係合面部５７が、係止凹部６２を係合させる。ここで、係止突片６１は、段ボールの弾性的な変形をともなって、連結部６１ｂを、幅狭部６２ａを介して係止溝部６２ｂに位置させ、係止凹部６２に引っ掛けられた状態となる。係止突片６１と係止凹部６２の係合状態において、係止突片６１は、後面部５１の前面５１ａに沿う係合面部５７の係止凹部６２から、係止突片６１の本体部６１ａの部分を、包装用緩衝部材４の本体部１５の内部空間内において前側に突出させている。
【００７９】
また、左右中央部に位置する中央部緩衝部１３Ｂは、後側斜面部２５と係合面部５７とにより後側稜線部２７Ｂを形成している点で、後側斜面部２５と内側板面部１２（後面部５１）とにより後側稜線部２７を形成する端部緩衝部１３Ａと異なる。
【００８０】
以上のような組立構成を有する包装用緩衝部材４においては、シート状部材５０において後面部５１の左右両側の部分が後面部５１に重なるように折り込まれる構造により、本体部１５の内部空間が、一対の中央部緩衝部１３Ｂによって左右に仕切られ、左右両側に偏平筒状の部分が構成された態様となる。具体的には、包装用緩衝部材４の左右両側のそれぞれにおいて、後面部５１の左右半分と、これに対向する前半面部５４と、側面部１４としての端部緩衝部１３Ａと、これに対向する中央部緩衝部１３Ｂとにより、上下開放の角筒状の空間１５ａを形成する偏平筒状の部分が構成されている。
【００８１】
また、包装用緩衝部材４の左右中央部において、左右対称に形成された一対の中央部緩衝部１３Ｂは、前側稜線部２６同士、および後側稜線部２７Ｂ同士を突き合わせた状態で対向している。したがって、包装用緩衝部材４において、内側板面部１２は、連続した１枚の後面部５１により形成されているのに対し、外側板面部１１は、一対の中央部緩衝部１３Ｂの前側稜線部２６同士を突き合わせた構成により、左右の前半面部５４により面一状に形成されている。
【００８２】
このような組立構成の包装用緩衝部材４は、展開される際、内側板面部１２に対して外側板面部１１の左右中央部から両開きの態様で展開する（図１１参照）。なお、図１１は、正面視で右側の係止部６０の係合を解除して右側の部分を開いた状態を示している。
【００８３】
また、包装用緩衝部材４を構成する段ボールに関し、本実施形態では、両面のライナとこれらの間に介在する波状の中芯とを有するいわゆる両面段ボールが用いられている。そして、その段ボールが、本体部１５において目方向（紙巾方向）が上下方向となるように用いられている。すなわち、シート状部材５０の上下方向（図１０における上下方向）が段ボールの目方向となっており、包装用緩衝部材４の水平断面視で段ボールの中芯の波形状が現れる向きで段ボールが用いられている。ただし、包装用緩衝部材４における段ボールの目方向は限定されるものではく、例えば、目方向が左右方向となるように段ボールが用いられてもよい。
【００８４】
また、本実施形態に係る包装用緩衝部材４においては、略厚板状の外形を有する本体部１５に対し、内側板面部１２の上側に、内側板面部１２を補強するためのフラップ面部６５が設けられている。フラップ面部６５は、内側板面部１２と左右方向の寸法を同じとする横長長方形状の部分であり、内側板面部１２をなす後面部５１に対して外折線６６を介して形成されている（図１０参照）。
【００８５】
フラップ面部６５は、包装用緩衝部材４において、上下方向に対して後側に傾くように傾斜状に形成されている（図７参照）。フラップ面部６５は、左右方向に直交する方向（図１０において上下方向）の寸法について、例えば後面部５１の上下方向の寸法に対して１／４〜１／５程度の寸法を有する。ただし、フラップ面部６５の形状や本体部１５に対する相対的な寸法は特に限定されるものではない。
【００８６】
フラップ面部６５は、包装構造１において、段ボール箱３が閉じた状態で、内フラップ面部７Ａにより上側から押さえられ、内側板面部１２に対して直角状に屈曲した状態となる（図１２参照）。つまり、フラップ面部６５は、段ボール箱３が閉じた状態で、内フラップ面部７Ａの下側において内フラップ面部７Ａと略平行な状態、つまり水平状となる。
【００８７】
また、本実施形態に係る包装用緩衝部材４において、外側板面部１１には、段ボール箱３の幅側面部６Ａに形成された手掛け孔６ｃに対応した部位に、手掛け孔６ｃに連続する開口部７０が形成されている。
【００８８】
開口部７０は、図１０に示すように、シート状部材５０において、前半面部５４の左右外側の端部の上下中央部から緩衝部形成面部４０Ｂの略全幅にわたって穿設された長孔７１により形成されている。シート状部材５０において、長孔７１は、左右方向を長手方向とした略矩形状の開口であり、前半面部５４側（左右内側）の端部においては半円状の湾曲形状を有し、緩衝部形成面部４０Ｂ側（左右外側）の端部においては内折線５６に沿う直線形状を有する。
【００８９】
シート状部材５０が組み立てられることで、包装用緩衝部材４において、長孔７１により、前半面部５４の左右内側の部分から中央部緩衝部１３Ｂにわたって、正面視で左右内側を開口側とした半楕円状をなす切欠部分７２が形成される（図１１参照）。そして、左右の中央部緩衝部１３Ｂの突き合わせ部分において、左右の切欠部分７２が連続した状態となることで、正面視で横長の長孔状の開口部７０が形成される。
【００９０】
詳細には、開口部７０においては、左右の長孔７１のうち、前半面部５４に形成された開口部分同士が連続し、外側板面部１１における横長の長孔状の開口が形成されている。この外側板面部１１における長孔状の開口に連続するように、左右の長孔７１のうちの緩衝部形成面部４０Ｂに形成された開口部分により、緩衝部形成面部４０Ｂの内方屈曲面部２１による「Ｖ」字状の端面を上下に対向させた切欠状の部分が形成されている。
【００９１】
開口部７０は、段ボール箱３内の温水洗浄便座２と幅側面部６Ａとの間に包装用緩衝部材４が介装された状態において、手掛け孔６ｃと重なるように設けられている。包装用緩衝部材４における開口部７０の上下方向および左右方向の位置は、段ボール箱３の幅側面部６Ａにおける手掛け孔６ｃの位置に応じた位置であり、開口部７０の外側板面部１１側における横長の長孔状の開口がこれと略同形状の手掛け孔６ｃと略一致するように形成されている。
【００９２】
このように開口部７０を有する構成においては、左右中央部に位置する中央部緩衝部１３Ｂは、上下方向の略中央部に開口部７０をなす長孔７１による欠切部分が形成されている点で、端部緩衝部１３Ａと異なる。
【００９３】
また、本実施形態に係る包装用緩衝部材４は、外側板面部１１および内側板面部１２の上端縁が段ボール箱３の側面部６の上端縁と略同じ高さに位置するように構成されている。つまり、包装構造１において、外側板面部１１および内側板面部１２の上端縁は、側面部６（幅側面部６Ａ）の上端縁と略同じ高さに位置している。
【００９４】
本実施形態では、包装用緩衝部材４は、段ボール箱３内において、底面部５上に載置された状態で設けられる。このため、包装用緩衝部材４は、外側板面部１１および内側板面部１２の上下方向の寸法を、段ボール箱３の側面部６の上下方向の寸法と略同じとしている。これにより、包装用緩衝部材４が段ボール箱３内にセットされた状態において、互いに同じ高さである外側板面部１１および内側板面部１２の上端縁１６ａ，１６ｂは、側面部６の上端縁と略同じ高さに位置している（図１、図１２参照）。
【００９５】
なお、例えば段ボール箱３の底面部５と包装用緩衝部材４との間に底仕切部材１０等の他の包装部材が介在する場合は、その包装部材上に包装用緩衝部材４が載置された状態で、外側板面部１１および内側板面部１２の上端縁１６ａ，１６ｂが側面部６の上端縁と略同じ高さに位置するように、外側板面部１１および内側板面部１２の上下方向の寸法が設定される。つまりこの場合、底面部５上の包装部材の高さ寸法と包装用緩衝部材４の高さ寸法の合計が段ボール箱３の側面部６の高さ寸法と略一致するように、包装構造１が構成される。
【００９６】
以上のような構成を備えた本実施形態に係る包装用緩衝部材４の作用について、図１３および図１４を用いて説明する。
【００９７】
段ボール箱３内に温水洗浄便座２が収容された通常状態では、包装用緩衝部材４は、外側板面部１１と内側板面部１２の間においてある程度の間隔（面間寸法Ｄ１）を保持しており、緩衝部１３の収縮代が確保されている。通常状態における緩衝部１３の状態を、図１３（ａ）および図１４（ａ）に示す。
【００９８】
ここで、通常状態とは、例えば、温水洗浄便座２を収容した段ボール箱３が通常の載置状態、つまり底面部５を下側として平置きされた状態である。通常状態では、段ボール箱３内において幅側面部６Ａと温水洗浄便座２との間に介在する包装用緩衝部材４は、外側板面部１１と内側板面部１２の対向方向（以下「緩衝方向」という。）についてわずかな荷重を受けるかあるいは荷重を受けていない状態であり、自然状態に対してわずかに緩衝部１３を収縮させた状態あるいは自然状態となっている。
【００９９】
図１３（ａ）は、通常状態における緩衝部１３の内方屈曲面部２１の形成部位の平面断面図を示している。図１３（ａ）に示すように、通常状態において、内方屈曲面部２１は、開いた状態、つまり前側斜面部２４と後側斜面部２５を互いに離間させた状態となっている。通常状態において、前側斜面部２４と後側斜面部２５がなす角度α１は、例えば４０〜６０°程度の角度状態で保持されている。
【０１００】
図１４（ａ）は、通常状態における緩衝部１３の平面図を示している。図１４（ａ）に示すように、通常状態において、外方屈曲面部２２は、開いた状態、つまり一側面部３１と他側面部３２を互いに離間させた状態となっている。通常状態において、一側面部３１と他側面部３２がなす角度は、例えば４０〜６０°程度の角度状態で保持されている。
【０１０１】
一方、段ボール箱３が外部から衝撃を受けた場合や段ボール箱３が運搬中に横揺れした場合など、段ボール箱３内の温水洗浄便座２の移動により、通常状態での包装用緩衝部材４に対して緩衝方向に荷重が作用する。包装用緩衝部材４は、内側板面部１２側から緩衝方向に荷重を受けることで、外側板面部１１および内側板面部１２を近接させ、外側板面部１１と内側板面部１２の面間寸法Ｄ１を小さくする。この際、緩衝部１３の緩衝方向の収縮変形（圧縮変形）をともなって緩衝作用が得られる。
【０１０２】
図１３（ｂ）は、緩衝部１３の収縮状態（収縮変形した状態）における内方屈曲面部２１の形成部位の平面断面図を示している。図１３（ｂ）に示すように、緩衝部１３の収縮状態において、内方屈曲面部２１は、閉じた状態、つまり前側斜面部２４と後側斜面部２５を互いに近接させ、これらの面部がなす角度α１を小さくした状態となっている。緩衝部１３が最も収縮変形した状態においては、前側斜面部２４と後側斜面部２５同士が部分的にまたは全面的に接触した状態となる。
【０１０３】
図１４（ｂ）は、緩衝部１３の収縮状態における平面図を示している。図１４（ｂ）に示すように、緩衝部１３の収縮状態において、外方屈曲面部２２は、閉じた状態、つまり一側面部３１と他側面部３２を互いに近接させ、これらの面部がなす角度を小さくした状態となっている。緩衝部１３が最も収縮した状態においては、一側面部３１と他側面部３２同士が部分的にまたは全面的に接触した状態となる。
【０１０４】
そして、包装用緩衝部材４に対して圧縮方向に作用する荷重が解除されると、緩衝部１３の内方屈曲面部２１および外方屈曲面部２２は、各屈曲面部の弾性（バネ性）により、図１３（ａ）および図１４（ａ）に示すような元の状態、つまり通常状態での包装用緩衝部材４における各屈曲面部と同じ状態または略同じ状態に復元する。
【０１０５】
以上のような構成の本実施形態に係る包装用緩衝部材４およびそれを備えた包装構造１によれば、簡易的な構造により、材料を増やすことなく、緩衝性と復元性を向上させることができる。これにより、温水洗浄便座２の保護機能を向上させることができる。
【０１０６】
すなわち、包装用緩衝部材４は、緩衝部１３において、内方屈曲面部２１とこれに対して反転状に（逆側向きに）形成された外方屈曲面部２２とを有することから、内方屈曲面部２１によって得られる緩衝作用としてのバネ性を、外方屈曲面部２２により増大させることができる。これにより、緩衝部１３において緩衝性を向上することができるとともに、収縮変形しても元の状態に戻る高い復元性を得ることができる。
【０１０７】
したがって、例えば、温水洗浄便座２を収容した状態の段ボール箱３がその長さ方向を上下方向としてある程度の高さ（例えば１８０ｃｍの高さ）から落下することにより、包装用緩衝部材４が緩衝方向に強い衝撃を受けた場合であっても、包装用緩衝部材４の緩衝作用によって温水洗浄便座２を保護することが可能となるとともに、緩衝部１３を元の状態に復元させることができる。
【０１０８】
また、緩衝部１３において、外方屈曲面部２２は、側面部１４の一部を、内方屈曲面部２１をなす面部に対して折り曲げることにより形成された部分である。このため、包装用緩衝部材４を構成する１枚のシート状部材５０に対して別途部材を追加することなく緩衝部１３を形成することができる。したがって、材料を増やすことなく、簡単な構造により、緩衝性および復元性を向上させることができる。
【０１０９】
また、本実施形態の包装用緩衝部材４においては、緩衝部１３において、第１の稜線部２３は、上下方向に沿うように形成されており、外方屈曲面部２２は、内方屈曲面部２１に対して上下方向の両側に設けられている。
【０１１０】
このような構成によれば、緩衝部１３におけるバネ性による反発力を増大させることができ、緩衝性と復元性を効果的に向上させることができる。
【０１１１】
また、本実施形態の包装用緩衝部材４においては、外方屈曲面部２２は、一側面部３１および他側面部３２の第２の稜線部３０側と反対側の頂部を、側面部１４の角部に位置させている。つまり、外方屈曲面部２２は、側面部１４の頂点４５を通る傾斜内折線４４により折り返されて形成されている（図９参照）。
【０１１２】
このような構成によれば、外方屈曲面部２２を形成するための傾斜内折線４４を長くすることができるため、外方屈曲面部２２による緩衝性および復元性を高めることができる。また。外方屈曲面部２２を形成するための傾斜内折線４４を形成する際、側面部１４の頂点４５を起点とすることができるので、傾斜内折線４４が形成しやすくなり、外方屈曲面部２２を形成する際の作業性を向上させることができるとともに、緩衝部１３の緩衝性および復元性の観点から包装用緩衝部材４の性能・品質を安定させることができる。
【０１１３】
また、本実施形態の包装用緩衝部材４は、緩衝部１３として、左右両側の端部緩衝部１３Ａおよび左右中間部の中央部緩衝部１３Ｂを有する。
【０１１４】
このような構成によれば、包装用緩衝部材４全体としての緩衝部１３のバネ性による反発力をさらに増大させることができ、より高い緩衝性と復元性を得ることができる。
【０１１５】
特に、左右に長い幅広の偏平角筒状に構成された包装用緩衝部材４においては、左右中間部に緩衝部１３がない場合（左右の端部緩衝部１３Ａのみの場合）、外側板面部１１および内側板面部１２間における左右中間部のバネ性が低くなり十分な緩衝性が得られないことが考えられる。そこで、本実施形態の包装用緩衝部材４のように、左右の端部緩衝部１３Ａに加えて中央部緩衝部１３Ｂを設けることにより、左右中間部においても十分な緩衝性を得ることができ、包装用緩衝部材４全体としての緩衝性および復元性を高めることができる。これにより、内側板面部１２において温水洗浄便座２の接触を受ける部位によらずに、包装用緩衝部材４の左右方向の全体にわたって均一的な緩衝性および復元性を得ることができる。
【０１１６】
例えば、温水洗浄便座２の便蓋９の頂部側（図２において左側）の接触を受ける包装用緩衝部材４においては、包装用緩衝部材４の左右方向について温水洗浄便座２の接触を受ける部分に中央部緩衝部１３Ｂが存在することから、緩衝部１３による緩衝性および復元性を効果的に発揮することが可能となる。
【０１１７】
また、本実施形態の包装用緩衝部材４においては、左右方向に対称な一対の中央部緩衝部１３Ｂが設けられている。
【０１１８】
このような構成によれば、左右方向の中間部においてより高い緩衝性および復元性を得ることが可能となる。
【０１１９】
しかも、一対の中央部緩衝部１３Ｂは、シート状部材５０の組立構成において、左右両端の部分を左右内側に巻き込む態様で折り曲げることにより形成されている。このような構成によれば、左右方向の中間部について簡易な構成により高い剛性を得ることができ、緩衝性および復元性を向上させることができる。
【０１２０】
また、本実施形態の包装用緩衝部材４においては、内側板面部１２の上側に、フラップ面部６５が設けられている。
【０１２１】
このような構成によれば、内部の大部分が空洞である角筒状の本体部１５の構成において、フラップ面部６５により、温水洗浄便座２の接触を受ける側の面部である内側板面部１２を補強することが可能となる。これにより、内側板面部１２の変形を抑制することができ、外側板面部１１と内側板面部１２の間を支持する緩衝部１３による緩衝性および復元性を効率的に得ることが可能となる。
【０１２２】
また、本実施形態の包装用緩衝部材４においては、外側板面部１１に、段ボール箱３の手掛け孔６ｃに連続する開口部７０が形成されている。
【０１２３】
このような構成によれば、温水洗浄便座２を収容した段ボール箱３を手掛け孔６ｃにより持ち上げる際、手掛け孔６ｃによる段ボール箱３の把持を妨げることなく、段ボール箱３の持ち運び性を確保することができる。
【０１２４】
また、開口部７０は、シート状部材５０の構成として中央部緩衝部１３Ｂをなす折返し部分において外側板面部１１から中央部緩衝部１３Ｂにわたる長孔７１により形成されている。このような構成により、例えば単に外側板面部１１のみに孔部を形成した構成との比較に置いて、包装用緩衝部材４において手掛け孔６ｃから挿入される指に対して奥行きの空間を十分に確保することができるため、容易に幅側面部６Ａとともに包装用緩衝部材４を把持することができ、良好な把持性を得ることができる。
【０１２５】
また、本実施形態の包装用緩衝部材４は、外側板面部１１および内側板面部１２の上端縁が段ボール箱３の側面部６の上端縁と略同じ高さに位置するように構成されている。
【０１２６】
このような構成によれば、包装用緩衝部材４により、段ボール箱３の側面部６を補強することができ、段ボール箱３の側壁構造を強固なものとすることができる。例えば本実施形態の段ボール箱３のように側面部６に手掛け孔６ｃが形成されている場合、側面部６の強度（剛性）が不足することが懸念されるが、包装用緩衝部材４を側面部６と同じ高さ位置とすることで、段ボール箱３に対して上下方向に作用する荷重に対して強度を向上させることができる。これにより、例えば、温水洗浄便座２を収容した段ボール箱３が上下に積み上げられる状況下において、荷重により段ボール箱３が変形することを防止または抑制ことができ、包装用緩衝部材４の緩衝機能と相俟って温水洗浄便座２を効果的に保護することが可能となる。
【０１２７】
また、上下方向の荷重に対する補強構造に関しては、本実施形態のように、包装用緩衝部材４を構成する段ボールの目方向を本体部１５において上下方向に沿わせた構成が好ましい。このような構成によれば、段ボールの構造から比較的強度が高く折れにくい方向が上下方向となるため、フラップ面部６５による補強構造による補強作用を効果的に得ることができる。
【０１２８】
また、本実施形態の包装用緩衝部材４は、段ボール箱３の幅側面部６Ａに対して、その全幅にわたるように構成されている。つまり、外側板面部１１および内側板面部１２が、幅側面部６Ａの略全面を覆うような大きさに形成されている。
【０１２９】
このような構成によれば、包装用緩衝部材４が受ける衝撃を分散させることができ、包装用緩衝部材４の耐久性を向上させることができる。また、段ボール箱３に収容される製品（温水洗浄便座２）の接触を受ける受け面を広くすることができるので、種々の形状の製品に対して包装用緩衝部材４の緩衝作用を得ることができ、収容される製品について高い汎用性を得ることができる。
【０１３０】
以上のように実施形態を用いて説明した本発明に係る包装用緩衝構造およびそれを備えた包装構造は、上述した実施形態に限定されず、本発明の趣旨に沿う範囲で、種々の態様を採用することができる。
【０１３１】
上述した実施形態では、包装用緩衝構造が、段ボール箱３とは別体の包装用緩衝部材４として構成されているが、このような構成に限定されるものではない。包装用緩衝構造としては、段ボール箱３を構成する例えば側面部６等の板面部、あるいは段ボール箱３内で別途用いられる天面仕切等の包装材の一部が、包装用緩衝構造を構成する部分として用いられてもよい。
【０１３２】
また、上述した実施形態では、緩衝部１３、特に端部緩衝部１３Ａは、前側稜線部２６および後側稜線部２７を介して外側板面部１１および内側板面部１２と連続した面部により形成されているが、このような構成に限定されるものではない。緩衝部１３としては、例えば、外側板面部１１および内側板面部１２とは別体の面部を介して、外側板面部１１と内側板面部１２との間に内方屈曲面部２１および外方屈曲面部２２を介在させる構成であってもよい。
【０１３３】
また、上述した実施形態では、内方屈曲面部２１は内向きに凸の屈曲面部、外方屈曲面部２２は外向きに凸の屈曲面部として構成されているが、これらの凹凸が反対向きであってもよい。ただし、段ボール箱３の幅側面部６Ａの幅方向の全体にわたるように包装用緩衝部材４を構成する際には、緩衝部１３の良好な収縮動作を確保する観点から、内方屈曲面部２１および外方屈曲面部２２の凹凸の向きについては、上述した実施形態のような凹凸関係が構成が好ましい。
【０１３４】
また、上述した実施形態では、外方屈曲面部２２が、側面部１４の頂点４５を通る傾斜内折線４４により折り返されて形成されているが（図９参照）、このような構成に限定されるものではない。傾斜内折線４４の第２の稜線部３０側と反対側の端部は、側面部１４の上縁である傾斜辺４７における頂点４５よりも内側（第２の稜線部３０側）に位置してもよい。
【０１３５】
また、上述した実施形態では、緩衝部１３として、左右両側の端部緩衝部１３Ａおよび左右中間部の一対の中央部緩衝部１３Ｂが設けられているが、緩衝部１３の配置位置や数等は、特に限定されるものではない。例えば、図１５に示す変形例の包装用緩衝部材４Ａのように、緩衝部１３として、中央部緩衝部１３Ｂを有することなく、左右両側の端部緩衝部１３Ａのみを有する構成であってもよい。このような構成によっても、簡易的な構造により、材料を増やすことなく、緩衝性と復元性を向上させることができる。
【０１３６】
また、上述した実施形態では、包装用緩衝部材４は、段ボール製の部材であるが、包装用緩衝部材４の材料としては、段ボールに限らず、例えば厚紙等の他の紙素材等であってもよい。
【符号の説明】
【０１３７】
１      包装構造
２      温水洗浄便座（被包装物）
３      段ボール箱（包装容器）
３ａ    収容空間
４      包装用緩衝部材
６      側面部（板面部）
６Ａ    幅側面部（板面部）
６ｃ    手掛け孔
１１    外側板面部（第１面部）
１２    内側板面部（第２面部）
１３    緩衝部
１３Ａ  端部緩衝部
１３Ｂ  中央部緩衝部
１６ａ  上端縁
１６ｂ  上端縁
２１    内方屈曲面部（第１の屈曲面部）
２２    外方屈曲面部（第２の屈曲面部）
２３    第１の稜線部
２４    前側斜面部
２５    後側斜面部
３０    第２の稜線部
３１    一側面部
３２    他側面部
３３    一側稜線部
３４    他側稜線部
４０    緩衝部形成面部
４４    傾斜内折線
４５    頂点
５０    シート状部材
６５    フラップ面部
７０    開口部
【図１】
2020070020.tif 000003
【図２】
2020070020.tif 000004
【図３】
2020070020.tif 000005
【図４】
2020070020.tif 000006
【図５】
2020070020.tif 000007
【図６】
2020070020.tif 000008
【図７】
2020070020.tif 000009
【図８】
2020070020.tif 000010
【図９】
2020070020.tif 000011
【図１０】
2020070020.tif 000012
【図１１】
2020070020.tif 000013
【図１２】
2020070020.tif 000014
【図１３】
2020070020.tif 000015
【図１４】
2020070020.tif 000016
【図１５】
2020070020.tif 000017